(57)【要約】【課題】  磁気ヘッドの近傍に位置していても悪影響を及ぼすことがないこと。【解決手段】  前記発光手段１１２と前記受光手段１１３との間に隙間が設けられているフォトインタラプタ１１１と、前記隙間を通って所定の方向に往復動可能であって前記発光手段１１２から前記受光手段１１３へ向けて投光される光を遮蔽するよう前記ボイスコイルモータ側に設けた遮光板１２０とを有し、前記フォトインタラプタ１１１を前記ヘッドホルダ３２に設け、前記遮光板１２０が前記発光手段１１２と前記受光手段１１３との間に隙間に延在している。【選択図】      図１１
2005166078.tif 000002
【特許請求の範囲】
【請求項１】
磁気ヘッドを設けたテープヘッドアセンブリと、該テープヘッドアセンブリを上下運動させることによって前記磁気ヘッドの位置の粗調整を行うヘッド送り機構と、前記磁気ヘッドの位置の微調整を行うボイスコイルモータとを含み、
前記テープヘッドアセンブリは、上下方向に延在する前記磁気ヘッドと、前記磁気ヘッドを一方の面に保持するヘッドホルダを有し、前記ボイスコイルモータは、前記ヘッドホルダの後方に配置したボイスコイルと、該ボイスコイルを通して流れる電流と交叉する磁界を発生するための磁気回路とを有している磁気ヘッドアクチュエータアセンブリにおいて、
発光側に設けられた発光手段と、該発光手段に対向して受光側に設けられた受光手段とを備え前記発光手段と前記受光手段との間に隙間が設けられているフォトインタラプタと、前記隙間を通って所定の方向に往復動可能であって前記発光手段から前記受光手段へ向けて投光される光を遮蔽するよう前記ボイスコイルモータ側に設けた遮光板とを有し、前記フォトインタラプタを前記ヘッドホルダに設け、前記遮光板が前記発光手段と前記受光手段との間に隙間に延在していることを特徴とする磁気ヘッドアクチュエータアセンブリ。
【請求項２】
前記フォトインタラプタは、前記磁気ヘッドの近傍に位置していることを特徴とする請求項１記載の磁気ヘッドアクチュエータアセンブリ。
【請求項３】
前記フォトインタラプタは、前記ヘッドホルダと一体であって、前記磁気ヘッドの移動距離と等価の検出を行うことを特徴とする請求項１又は２記載の磁気ヘッドアクチュエータアセンブリ。
【請求項４】
前記遮光板が樹脂材であることを特徴とする請求項１又は２記載の磁気ヘッドアクチュエータアセンブリ。
【発明の詳細な説明】
【技術分野】
【０００１】
本発明はＤＬＴ（Digital Linear Tape）やＬＴＯ（Linear Tape Open）に代表されるリニアテープストレージシステムに用いられる磁気テープの磁気ヘッドアクチュエータアセンブリに関する。
【背景技術】
【０００２】
リニアテープストレージシステムにおける磁気テープのヘッド送り機構は、コンピュータシステムのバックアップ用として開発され、例えば、従来ＤＬＴとしてのデジタル線形テープドライブが知られている。
【０００３】
テープドライブは、磁気テープの磁気ヘッドアクチュエータアセンブリを含む。この磁気ヘッドアクチュエータアセンブリは、複数のローラによって規定された磁気テープ経路上で、巻取りスプールとテープカートリッジとの間に位置づけられる。動作中は、磁気テープが巻取りスプールとテープカートリッジとの間を前後に流れ、規定された磁気テープ経路上を流れる間で磁気ヘッドアクチュエータアセンブリに密に接近する。
【０００４】
磁気ヘッドアクチュエータアセンブリは、テープヘッドアセンブリと、ヘッド送り機構とを有している。ヘッド送り機構は、テープヘッドアセンブリを上下運動させることによって磁気ヘッドの位置の粗調整を行うものである（例えば、特許文献１を参照）。
【０００５】
さらに、磁気ヘッドアクチュエータアセンブリでは、駆動手段としてボイスコイルモータのようなリニアモータを使用している。ボイスコイルモータは、磁気回路で発生された磁界と交叉する方向にボイスコイルに電流を流すことにより、この電流を磁界との相互作用に基づいて駆動力が発生する。この駆動力により、ボイスコイルモータは磁気ヘッドを保持しているヘッドホルダ（キャリアとも言う）を上下方向に移動することによって磁気ヘッドの微調整を行っている。ボイスコイルモータの可動部の支点となるシャフト部材は、ヘッドホルダに圧入することにより固定されている。
【０００６】
上述したように、テープドライブでは、ヘッド送り機構をステッピングモータによって磁気ヘッドの位置を粗調整し、ボイスコイルモータによって磁気ヘッドの位置を微調整する二段階の調整を行うものである。
【０００７】
ボイスコイルモータには、サーボ信号がないときに、磁気ヘッドの位置を検出する位置検出センサーを必要とする。位置検出センサーには、磁気センサーを使用している。
【特許文献１】特開２００３-２０３３１８号公報（第２−４頁、図１〜図４）
【発明の開示】
【発明が解決しようとする課題】
【０００８】
従来の磁気ヘッドアクチュエータアセンブリの位置検出装置では、磁気センサーが使用されているが、磁気センサーを使用した場合、磁気ヘッドの近傍に磁気センサーが位置していると、磁気によって磁気センサーに悪影響を及ぼす危険がある。
【０００９】
また、磁石は、コスト高であり、磁気ヘッドアクチュエータアセンブリの重量も重くなってしまうという問題がある。
【００１０】
それ故に本発明の課題は、位置を検出する位置検出センサーをフォトインタラプタとすることで、磁気ヘッドの近傍に位置していても悪影響を及ぼすことがなく、磁気ヘッドの移動距離と等価の検出ができる磁気ヘッドアクチュエータアセンブリを提供することにある。
【００１１】
また、重量を軽量化することができる磁気ヘッドアクチュエータアセンブリを提供することにある。
【００１２】
さらに、部品点数を削減でき、磁気センサーと比較して経済性に優れた磁気ヘッドアクチュエータアセンブリを提供することにある。
【課題を解決するための手段】
【００１３】
本発明によれば、磁気ヘッド（３１）を設けたテープヘッドアセンブリ（３０）と、該テープヘッドアセンブリを上下運動させることによって前記磁気ヘッド（３１）の位置の粗調整を行うヘッド送り機構（４０）と、前記磁気ヘッド（３１）の位置の微調整を行うボイスコイルモータ（５１，５３）とを含み、
前記テープヘッドアセンブリは、上下方向に延在する前記磁気ヘッド（３１）と、該磁気ヘッド（３１）を一方の面に保持するヘッドホルダ（３２）を有し、前記ボイスコイルモータ（５１，５３）は、前記ヘッドホルダ（３２）の後方に配置したボイスコイル（５１）と、該ボイスコイルを通して流れる電流と交叉する磁界を発生するための磁気回路（５３）とを有している磁気ヘッドアクチュエータアセンブリ（２０）において、
発光側（１１１ａ）に設けられた発光手段（１１２）と、該発光手段に対向して受光側（１１１ｂ）に設けられた受光手段（１１３）とを備え前記発光手段と前記受光手段との間に隙間が設けられているフォトインタラプタ（１１１）と、前記隙間を通って所定の方向に往復動可能であって前記発光手段から前記受光手段へ向けて投光される光を遮蔽するよう前記ボイスコイルモータ側に設けた遮光板（）とを有し、前記フォトインタラプタを前記ヘッドホルダ（３２）に設け、前記遮光板が前記発光手段と前記受光手段との間に隙間に延在していることを特徴とする磁気ヘッドアクチュエータアセンブリ。
【００１４】
また、本発明によれば、前記フォトインタラプタ（１１０）は、前記磁気ヘッド（３１）の近傍に位置していることが望ましい。
【００１５】
また、本発明によれば、前記フォトインタラプタ（１１０）は、前記ヘッドホルダ（３２）と一体であって、前記磁気ヘッドの移動距離と等価の検出を行うことが望ましい。
【００１６】
さらに本発明によれば、前記遮光板が樹脂材であってもよい。
【００１７】
尚、上記括弧内の符号は、本発明の理解を容易にするために付したものであり、一例にすぎず、これらに限定されないのは勿論である。
【発明の効果】
【００１８】
本発明に係る磁気ヘッドアクチュエータアセンブリの位置検出装置によれば、位置を検出する位置検出センサーをフォトインタラプタとすることで、磁気ヘッドの近傍に位置していても悪影響を及ぼすことがない。したがって、磁気ヘッドの移動距離と等価の検出ができる。
【００１９】
また、磁気ヘッドアクチュエータアセンブリのヘッドホルダは、遮光板のみとなるため磁気センサーの場合と比較して可動部の重量を軽量化することができる。
【００２０】
さらに、遮光板をヘッドホルダと一体化することで、部品点数を削減でき、磁気センサーと比較して経済性に優れたものとなる。
【発明を実施するための最良の形態】
【００２１】
本発明では、テープヘッドアセンブリと、該テープヘッドアセンブリを上下運動させることによって磁気ヘッドの位置の粗調整を行うヘッド送り機構と、磁気ヘッドの微調整を行うボイスコイルモータとを含み、前記テープヘッドアセンブリが、上下方向に延在する磁気ヘッドと、該磁気ヘッドを一方の面に保持するヘッドホルダを有し、
前記発光手段と前記受光手段との間に隙間が設けられているフォトインタラプタと、前記隙間を通って所定の方向に往復動可能であって前記発光手段から前記受光手段へ向けて投光される光を遮蔽するよう前記ボイスコイルモータ側に設けた遮光板とを有し、前記フォトインタラプタを前記ヘッドホルダに設け、前記遮光板が前記発光手段と前記受光手段との間に隙間に延在していることを最良の形態とする。
【実施例１】
【００２２】
図１を参照して、関連する磁気テープの磁気ヘッドアクチュエータアセンブリ２０を含むテープドライブについて説明する。尚、図１は上蓋を取り外した状態のテープドライブを示す平面図である。
【００２３】
テープドライブ１０は、テープカートリッジ（図示せず）を受けるためのものであり、その内部に巻取りリール１１を内蔵している。巻取りリール１１はスプールとも呼ばれる。テープドライブ１０は、共通のベースを有する略直方体形状のハウジング（シャーシ）１２を有する。
【００２４】
ベースは第１及び第２のスピンドルモータ（リールモータ）１３、１４を有する。第１のスピンドルモータ１３は、ハウジング１２のベースに永久的に取り付けられた巻取りリール１１を有している。巻取りリール１１は、比較的高速で流れる磁気テープ（図示せず）を受けるように大きさが定められている。
【００２５】
第２のスピンドルモータ１４は、取外し可能なテープカートリッジを受けるように適合される。取外し可能なテープカートリッジは、ドライブ１０のハウジング１２に形成されたスロット１６を通してドライブ１０の中に手動で、または自動的に、所定の挿入方向に沿って挿入される。
【００２６】
テープカートリッジをスロット１６に沿って挿入下場合には、カートリッジは第２のスピンドルモータ１４と係合する。第１および第２のスピンドルモータ１３、１４を回転する前に、機械的なバックリング機構（図示せず）によってテープカートリッジは永久的に取付けられた巻取りリール１１に接続される。テープカートリッジと永久スプールの巻取りリール１１との間に位置づけられた多くのローラ（ガイドローラ）１５は、テープカートリッジと永久に取付けられた巻取りリール１１との間を磁気テープが比較的高速で前後に移動する際にそれを案内する。
【００２７】
なお、ハウジング１２は鉄系の磁性体からなる板金プレスシャーシで構成されているものとする。
【００２８】
テープドライブ１０は、磁気ヘッドアクチュエータアセンブリ２０をさらに含み、この磁気ヘッドアクチュエータアセンブリ２０は上記複数のローラ１５によって規定された磁気テープ経路（図示せず）上に、巻取りスプール１１とテープカートリッジとの間に位置づけられる。動作中、磁気テープは、巻取りスプール１１とテープカートリッジとの間を前後に流れ、規定された磁気テープ経路上を流れる間に磁気ヘッドアクチュエータアセンブリ２０に密に近接する。
【００２９】
次に、図２に図１を併せ参照して磁気ヘッドアクチュエータアセンブリ２０について概要を説明する。図２は、磁気ヘッドアクチュエータアセンブリ２０をテープヘッドアセンブリ３０とヘッド送り機構４０とに分解し、更にこのヘッド送り機構４０を回転部分と上下運動部分とに分解して全体の構成要素を示す分解斜視図である。
【００３０】
磁気ヘッドアクチュエータアセンブリ２０は、磁気テープに密に近接して磁気テープ面で移動するテープヘッドアセンブリ３０を有してハウジング１２のベース上に配備される。ハウジング１２のベース上には、更にこの磁気テープヘッドアセンブリ３０をハウジング１２のベースに垂直方向で上下させるためのガイドバー１７が設けられている。
【００３１】
図示されるように、磁気ヘッドアクチュエータアセンブリ２０は、テープヘッドアセンブリ３０とヘッド送り機構４０とから構成される。ここで、図１に示したハウジング１２のベース平面に垂直方向、すなわちガイドバー１７の延在方向を上下方向とする。
【００３２】
テープヘッドアセンブリ３０は、上下方向に延在する磁気ヘッド３１と、この磁気ヘッド３１を一方の面（以後、前面）に保持するヘッドホルダ３２と、磁気ヘッド３１と外部の回路（図示せず）との間を電気的に接続するために他方の面（以後、背面）側に延在する一対のフレキシブルプリント回路（以後、ＦＰＣと略称する）３３とを有する。テープヘッドアセンブリ３０は、ネジ３４をヘッド送り機構４０のヘッドリフトボディ４２に螺合することにより、ヘッドリフトボディ４２に組み付け固定される。
【００３３】
この結果、ヘッドホルダ３２の背面側では回転中心軸を上下方向とするヘッド送り機構４０のリードスクリュー４１が配置され、リードスクリュー４１を貫通させるヘッドリフトボディ４２がリードスクリュー４１の回転によりテープヘッドアセンブリ３０を上下運動させることとなる。
【００３４】
以下、図３および図４に図２を参照して、図１に示された磁気ヘッドアクチュエータアセンブリ２０に組込まれる上述したヘッド送り機構４０について説明する。
【００３５】
図３は、図２に示される分解された硬性要素を組立てたヘッド送り機構４０の斜視図である。また、図４は、図１のＩＶ−ＩＶ断面のうち、図３のヘッド送り機構４０部分を示す断面図である。
【００３６】
まず、ヘッド送り機構４０について説明する。ヘッド送り機構４０の主要部分は、上下方向に延在する回転中心軸を有するネジ山付きリードスクリュー４１と、リードスクリュー４１の回転に従い回転中心軸に沿って上下運動するヘッドリフトボディ４２と、ヘッドアクチュエータアセンブリ２０のバックラッシュを防止するバックラッシュ防止機構４３とにより構成される。
【００３７】
リードスクリュー４１は、その下端側に、他の駆動手段によりこのリードスクリュー４１を回転中心軸の回りに回転させるリードスクリューギヤ４４を取り付けている。リードスクリューギヤ４４は、図示しないステップモータによって駆動され、リードスクリュー４１の軸方向へ移動することによって磁気ヘッド３１の位置の租調整を行うものである。
【００３８】
ヘッドリフトボディ４２は、側面から見て略Ｉ字形をなし、テープヘッドアセンブリ３０を保持しながらテープヘッドアセンブリ３０を上下動させる。このヘッドリフトボディ４２は半円筒部分の中空開口内部にバックラッシュ防止機構４３を配置する。
【００３９】
バックラッシュ防止機構４３は、半円筒部４２３の中空開口内部に配置された際に、リードスクリュー４１と噛合するネジ溝を持つ予圧ブッシュ４３１と、圧縮コイルによる予圧バネ４３２とで構成されている。
【００４０】
リードスクリュー４１の下端側には他の駆動手段によりこのリードスクリュー４１を回転中心軸の回りに回転させるリードスクリューギヤ４４が取り付けられている。リードスクリュー４１は、後述するヘッドリフトボディ４２に設けられる軸受け４５のネジ溝４５１と噛合する。リードスクリュー４１の回転中心の軸回りの回転は、バックラッシュ防止機構４３と協働して、ヘッドリフトボディ４２を回転中心軸の延在する方向である上下方向に移動させる。
【００４１】
次に、ヘッドリフトボディ４２の構造について詳細に説明する。ヘッドリフトボディ４２は、リードスクリュー４１と噛合するネジ溝４５１を有する軸受け４５と後述する軸受け４６およびガイド部４７を含めて構成される。
【００４２】
ヘッドリフトボディ４２は、図示されるように、下端面をなす底面部４２１、上端面をなす天井部４２２、および中空開口を持つ半円筒部４２３により主要部を構成し、底面部４２１および天井部４２２それぞれは半円筒部４２３の両外側方向に延在するアームを有しており、この延在方向に垂直な方向から見てＩ字形をなしている。また、底面部４２１および天井部４２２それぞれには、半円筒部４２３の中空開口位置にリードスクリュー４１を貫通させるための円形開口を有し、すべり軸受け４６を形成している。
【００４３】
底面部４２１は、リードスクリュー４１を貫通させる円形開口位置上面で半円筒部４２３の中空開口位置に、内面にリードスクリュー４１と噛合するネジ溝４５１を有する軸受け４５を固着している。
【００４４】
底面部４２１の一方のアームは他方のアームより長く側方へ延在し、その先端には略コ字形をなすガイド部４７が設けられている。このガイド部４７は図１に示されたガイドバー１７に嵌め込まれ上下方向に摺動可能となるように取り付けられ、ヘッドリフトボディ４２が回転するのを防止する。
【００４５】
天井部４２２は、一対のアームそれぞれにネジ穴を有し、上述したネジ３４によりヘッドリフトボディ４２にヘッドアセンブリ３０を固定している。
【００４６】
半円筒部４２３の中空開口はバックラッシュ防止機構４３を受け入れるために設けられている。
【００４７】
予圧ブッシュ４３１は、内壁面にネジ溝が切られた円筒部と、この円筒部の下端部で外周側へ延在した環状の受け部と、この受け部外周で約半円に相当する部分から上方へ延在する半円筒状部とを有し、円筒部と半筒状部との間に半環状の溝が形成される。図４に示されるように、この溝に挿入された状態で、予圧ブッシュ４３１とヘッドリフトボディ４２の天井部４２２の下面との間に、予圧バネ４３２が圧縮した状態で配置される。
【００４８】
予圧バネ４３２は圧縮コイルスプリングである。すなわち、この予圧バネ４３２により、予圧ブッシュ４３１には常にリードスクリュー４１の回転中心軸に沿って下向きの押圧力が作用すると共に、ヘッドリフトボディ４２には常にリードスクリュー４１の回転中心軸に沿って上向きの押圧力が作用している。ガイド部１７はヘッドリフトボディ４２に形成されているので、ガイド部１７にも常にリードスクリュー４１の回転中心軸に沿って上向きの押圧力が作用している。
【００４９】
このバックラッシュ防止機構４３により、リードスクリュー４１の回転に応じてヘッドリフトボディ４２が移動する際のバックラッシュを防止することができる。
【００５０】
磁気ヘッドアクチュエータアセンブリ２０では駆動手段としてボイスコイルモータ（ＶＣＭ）のようなリニアモータを使用している。ボイスコイルモータは、磁気ヘッド３１の位置の微調整を行うものである。
【００５１】
以下、ボイスコイルモータについて説明する。図５乃至図７は、ボイスコイルモータを含む磁気ヘッドアクチュエータアセンブリ２０を示している。なお、図１乃至図４において説明した磁気ヘッドアクチュエータアセンブリ２０と少し形状が異なっているが、同じ機能を果たすので、同じ部分には同じ符号を付してボイスコイルモータの説明を加えることにする。
【００５２】
ボイスコイルモータは、ヘッドホルダ３２の後方に配置されている。ボイスコイルモータにおいてヘッドホルダ３２の後方には、ボイスコイル５１と、このボイスコイル５１を通して流れる電流と交叉する磁界を発生するための磁気回路５３とを有している。
【００５３】
図６及び図７に示すように、ヘッドホルダ３２には、ヘッドホルダ３２を上下方向に移動する場合に、支点となるシャフト部材５５が挿入されている。シャフト部材５５は、図７によって最もよく理解できるように、丸棒形状のシャフト５５ａと、シャフト５５ａの一端に設けられている平板形状の第１のシャフトベース５５ｂとを有している。
【００５４】
シャフトベース５５ｂ側シャフト５５ａの周囲には、第１の軸受け部材５７ａが設けられている。シャフト５５ａの先端側の周囲には、第２の軸受け部材５７ｂが設けられている。平板形状の第２のシャフトベース５９によって保持されている。
【００５５】
さらに、第１及び第２のシャフトベース５５ｂ，５９は、ヘッドホルダ３１の外面に複数のネジ６１によって固定されている。また、シャフト５５ａはガタ寄せ用バネ６３によって押圧されている。
【００５６】
このような構成により、磁気回路で発生された磁界と交叉する方向にボイスコイル５１に電流を流すことにより、この電流を磁界との相互作用に基づいて駆動力が発生する。この駆動力により、ボイスコイルモータはヘッドホルダ３２をシャフト５５ａを支点として上下方向に移動することによって磁気ヘッド３１の位置の微調整を行う。
【００５７】
尚、実施例１においては、シャフト５５ａの一端に第１のシャフトベース５５ｂを設けるようにしたが、シャフト５５ａと第１のシャフトベース５５ｂが一体となっている形態のものを用いても良い。
【００５８】
磁気ヘッドアクチュエータアセンブリ２０には、図６及び図８に示したように、サーボ信号がないときに磁気ヘッド３１の位置を検出するフォトインタラプタ１０を備えている。
【００５９】
図８に示されるように、フォトインタラプタ１１０は、発光側１１１ａに設けられた発光体１１２と、この発光体１１２に対向して受光側１１１ｂに設けられた受光体１１３とを備え、発光体１１２と受光体１１３との間に隙間が設けられている。発光体１１２は、例えば、発光ダイオード（ＬＥＤ）である。受光体１１３は、例えば、フォトダイオードである。
【００６０】
ヘッドホルダ３２には、発光体１１２と受光体１１３との間に隙間に延在している遮光板１２０が設けられている。
【００６１】
一方、図９に示されるように、遮光板１２０は、その隙間を通って矢印Ａで示す所定の方向に往復動可能であって、発光体１１２から受光体１１３へ向けて投光される光を遮蔽する。図２において，（ａ）は遮光板１２０がスリット１１４を覆っていない状態（すなわち、発光体１１２からの光が何ら遮蔽されことなく、受光体１１３に投射されている状態）を示し、（ｂ）は遮光板２０がスリット１１４の約半分を覆っている状態（すなわち、遮光板１２０の先端が発光体１１２の中心と受光体１１３の中心とを結ぶ線上にあって、発光体１１２からの光は受光体１１３に対して半分遮蔽されている状態）を示し、（ｃ）は遮光板１２０がスリット１１４のほぼ全体を覆っている状態（すなわち、発光体１２からの光が受光体１１４に対して完全に遮蔽されている状態）を示す。
【００６２】
通常、フォトインタラプタ１１０は、図８に図示されているように、発光体１１２から投光された光を、受光側１１１ｂに設けられたスリット１１４を介して受光体１１３で検出する。そして、スリット１１４は、図２に示されるように、所定の方向Ａに延在する一定の幅Ｗs1と一定の高さＨs1とを持つ矩形形状を持っている。一方、遮光板１２０は、図９に示されるように、所定の方向Ａと直交する方向へ延在する一定の幅Ｗp1を持つ直方体の形状をしている。換言すれば、遮光板１２０がスリット１１４に対して垂直なものとなっている。このような構造の遮光板１２０を垂直遮光板と呼ぶことにする。
【００６３】
このような構成の基準位置調整装置は、受光体１１３での出力レベルに基づいて遮光板１２０の現在位置を検出する位置検出装置としても使用することができる。
【００６４】
以下に、フォトインタラプタ１１０を備えている磁気ヘッドアクチュエータアセンブリについて具体的に説明する。
【００６５】
図１０乃至図１３は、フォトインタラプタを備えている磁気ヘッドアクチュエータアセンブリを示している。なお、図５乃至図８において説明したフォトインタラプタ１０を含む磁気ヘッドアクチュエータアセンブリと同じ機能を果たす部分には、同じ符号を付して説明を省略する。
【００６６】
フォトインタラプタ１０は、磁気ヘッド３１の近傍に位置しており、ボイスコイルモータに設けられている。フォトインタラプタ１０は、ヘッドホルダ３２と一体であって、磁気ヘッド３１の移動距離と等価の検出を行う。
【００６７】
図１４及び図１５は、遮光板２２０の変形例を示している。図１４及び図１５を参照して、遮光板２２０は、ヘッドホルダ３２の側面に形成されている突部３２ｄに嵌め込まれる孔２２０ａを有している。遮光板２２０は、突部３２ｄに嵌め込まれて一体に構成されている。このこの遮光板２２０は、樹脂材とすることで遮蔽板の厚みを薄型化及び軽量化されており、さらに高い応答性を求めることが可能となる。
【図面の簡単な説明】
【００６８】
【図１】本発明に関連する磁気ヘッドアクチュエータアセンブリを含むテープドライブを、上蓋を取り外した状態で示す平面図である。
【図２】図１に図示した磁気ヘッドアクチュエータアセンブリをテープヘッドアセンブリとヘッド送り機構とに分解し、更にヘッド送り機構を分解して主要の構成要素を示す分解斜視図である。
【図３】図２におけるヘッド送り機構の組立て斜視図である。
【図４】図３におけるヘッド送り機構の図１におけるＩＶ−ＩＶ線断面図である。
【図５】本発明の実施例１の形態に係る磁気ヘッドアクチュエータアセンブリを示す正面図である。
【図６】図５における磁気ヘッドアクチュエータアセンブリの側面図である。
【図７】図５におけるＶＩＩ−ＶＩＩ線断面面である。
【図８】本発明に係る位置検出装置に用いられるフォトインタラプタの外観構成を示す斜視図である。
【図９】位置検出装置に用いられる遮光板を、フォトインタラプタのスリットと共に配置を変えて示した図である。
【図１０】本発明のフォトインタラプタを備えた磁気ヘッドアクチュエータアセンブリを示す正面図である。
【図１１】図１０のＸＩＩ−ＶＸＩＩ線断面図である。
【図１２】図１１のフォトインタラプタ部分を拡大して示した側面図である。
【図１３】図１０に示したフォトインタラプタを備えた磁気ヘッドアクチュエータアセンブリの平面図である。
【図１４】図１０に示した遮光板の変形例を示す斜視図である。
【図１５】図１４に示した遮光板をヘッドホルダに取り付けた状態を示す斜視図である。
【符号の説明】
【００６９】
１０    テープドライブ
２０    磁気ヘッドアクチュエータアセンブリ
３０    テープヘッドアセンブリ
３１    磁気ヘッド
３２    ヘッドホルダ
４０    ヘッド送り機構
４１    リードスクリュー
４２    ヘッドリフトボディ
４４    リードスクリューギヤ
５１    ボイスコイル
５３    磁気回路
５５ａ    シャフト
５５ｂ    第１のシャフトベース
５９    第２のシャフトベース
１１０    フォトインタラプタ
１１１ａ    発光側
１１１ｂ    受光側
１１２    発光体
１１３    受光体
１２０，２２０    遮光板
【図１】
2005166078.tif 000003
【図２】
2005166078.tif 000004
【図３】
2005166078.tif 000005
【図４】
2005166078.tif 000006
【図５】
2005166078.tif 000007
【図６】
2005166078.tif 000008
【図７】
2005166078.tif 000009
【図８】
2005166078.tif 000010
【図９】
2005166078.tif 000011
【図１０】
2005166078.tif 000012
【図１１】
2005166078.tif 000013
【図１２】
2005166078.tif 000014
【図１３】
2005166078.tif 000015
【図１４】
2005166078.tif 000016
【図１５】
2005166078.tif 000017